(57)【要約】【課題】筐体に収容された回路基板の保守、点検や交換作業を容易におこなえる光終端装置を提供する。【解決手段】光終端装置１０は、取付面１３に取り付けられる筐体１５と、筐体１５に収容されて光ファイバ１２の余長部１２Ａを収束させる余長処理部１７と、余長処理部１７に対して積層するように筐体１５に収容される回路基板１８とを備える。筐体１５は、取付面１３に固定される固定側筐体２１と、固定側筐体２１の開口部２２を開閉可能な可動側筐体２３とを有する。可動側筐体２３が開口部２２を開放させた状態で、回路基板１８が外部露出するように筐体１５に収容されている。【選択図】図４
2008076966.tif 000002
【特許請求の範囲】
【請求項１】
映像・通信融合型の光伝送システムにおいて、屋外の光ファイバを屋内に接続するために、
取付面に取り付けられる筐体と、
前記筐体に収容されて前記光ファイバの余長部を収束させる余長処理部と、
前記余長処理部に対して積層するように前記筐体に収容され、複数の光の波長を単一の光ファイバで伝達するためのフィルタと、余長処理部を備えたトレイ形状のユニットを具備し、前記光ファイバの終端部に接続される回路基板とを接続するための光接続コネクタとを有し、
前記筐体が、取付面に固定される固定側筐体と、
前記取付面に対して平行な回動軸を介して前記固定側筐体に対して回動することにより前記固定側筐体の開口部を開閉可能な可動側筐体とを有する光終端装置であって、
前記可動側筐体が前記開口部を開放させた状態で、前記回路基板が外部露出するように前記筐体に収容されていることを特徴とする光終端装置。
【請求項２】
前記可動側筐体に前記回路基板を覆う基板カバーが設けられていることを特徴とする請求項１に記載の光終端装置。
【請求項３】
前記固定側筐体に対して前記可動側筐体が着脱可能であることを特徴とする請求項１に記載の光終端装置。
【発明の詳細な説明】
【技術分野】
【０００１】
本発明は、固定側筐体および可動側筐体で筐体を構成するとともに可動側筐体を回動させて筐体を開閉可能とし、この筐体に余長処理部および回路基板を備えた光終端装置に関する。
【背景技術】
【０００２】
近年、高速広帯域通信サービスの普及にともない、家庭と送信局との間を光ファイバで接続する通信サービスとして、例えば、光ケーブルテレビジョン（ＣＡＴＶ）が実施されている。
この通信サービスの実現には、光ファイバの光信号を電気信号に変換して増幅し、増幅された周波数多重信号をＣＡＴＶの線路に供給するために光終端装置が必要となる（例えば、特許文献１）。
【特許文献１】特開２０００−１３０４９号公報
【０００３】
この光終端装置は、図８に示すように、取付面１００に固定筐体１０１が取り付けられ、固定筐体１０１内に回路基板１０２や余長収納部１０３が収容されている。
回路基板１０２は、光ファイバの終端部に接続され、光−電気信号に変換するものである。余長収納部１０３は、光ファイバがその長さに余裕を持たせて布設されるため光ファイバの余長部を収納するものである。
【０００４】
そして、回路基板１０２は、通常、固定筐体１０１の底部１０１Ａ側に収容され、回路基板１０２の上に余長処理部１０３が重なるように収容されている。
【発明の開示】
【発明が解決しようとする課題】
【０００５】
ところで、光終端装置は、回路基板１０２の保守、点検や、回路基板１０２を交換する必要がある。
この場合、まず、図８に示す可動筐体１０４を開け、固定筐体１０１から余長処理部１０３を取り出した後、回路基板１０２を取り出して保守、点検や交換をおこなう必要があり、保守、点検や交換の作業が煩雑になる。
【０００６】
本発明は、上述した従来の問題を解決するためになされたものであり、その目的は、筐体に収容された回路基板の保守、点検や交換作業を容易におこなえる光終端装置を提供することにある。
【課題を解決するための手段】
【０００７】
本発明の光終端装置は、映像・通信融合型の光伝送システムにおいて、屋外の光ファイバを屋内に接続するために、取付面に取り付けられる筐体と、前記筐体に収容されて前記光ファイバの余長部を収束させる余長処理部と、前記余長処理部に対して積層するように前記筐体に収容され、複数の光の波長を単一の光ファイバで伝達するためのフィルタと、余長処理部を備えたトレイ形状のユニットを具備し、前記光ファイバの終端部に接続される回路基板とを接続するための光接続コネクタとを有し、前記筐体が、取付面に固定される固定側筐体と、前記取付面に対して平行な回動軸を介して前記固定側筐体に対して回動することにより前記固定側筐体の開口部を開閉可能な可動側筐体とを有する光終端装置であって、前記可動側筐体が前記開口部を開放させた状態で、前記回路基板が外部露出するように前記筐体に収容されていることを特徴とする。
【０００８】
可動側筐体を開けて開口部を開放した状態で、回路基板が外部露出するように筐体に収容した。
このように、開口部を開放させた状態において回路基板を外部露出できるため、回路基板の保守、点検や交換作業が容易に行える。
また、本発明は、前記回路基板が前記可動側筐体に固定されているため、光コネクタを外すだけで可動側筐体を固定側筐体から取り外せば回路基板を一層容易に交換できる。
【０００９】
さらに、本発明は、前記可動側筐体に前記回路基板を覆う基板カバーが設けられていることを特徴とする。
【００１０】
可動側筐体に回路基板を覆う基板カバーを設けることで、回路基板を基板カバーで保護できる。
【００１１】
また、本発明は、前記固定側筐体に対して前記可動側筐体が着脱可能であることを特徴とする。
【００１２】
固定側筐体に対して可動側筐体を着脱可能とすることで、回路基板を可動側筐体ごと交換でき、回路基板を一層容易に交換できる。
【発明の効果】
【００１３】
本発明の光終端装置によれば、筐体の開口部を開放させた状態において回路基板を外部露出できるため、筐体に収容された回路基板の保守、点検や、交換作業を容易におこなえるという効果を有する。
【発明を実施するための最良の形態】
【００１４】
図１〜図４に示すように、実施形態に係る光終端装置１０は、屋外１１の光ファイバ１２を屋内に接続するために、取付面１３（図４参照）に取り付けられる筐体１５と、筐体１５に収容されて光ファイバ１２の余長部１２Ａ（図１、図２参照）を収束させる余長処理部１７と、余長処理部１７に対して積層するように筐体１５に収容されるとともに光ファイバ１２の終端部１２Ｂ（図２参照）に接続される回路基板１８と、筐体１５を覆うことで保護する筐体カバー１９とを備える。
【００１５】
筐体１５は、取付面１３に固定される固定側筐体２１と、固定側筐体２１の開口部２２を開閉可能な可動側筐体２３とを有する。
可動側筐体２３は、固定側筐体２１にヒンジ部２５（図５参照）を介して開閉自在に取り付けられている。
【００１６】
図５に示すように、ヒンジ部２５は、固定側筐体２１に固定係止部２６が設けられ、可動側筐体２３に一対の可動係止部２７が設けられ、一対の固定係止部２６間に可動係止部２７が配置され、係止孔２６Ａ，２７Ａが着脱自在に差し込まれる構造となっている。
【００１７】
係止孔２６Ａ，２７Ａは、取付面１３に対して平行に配置されている。
可動側筐体２３を、係止孔２６Ａ，２７Ａの回転中心２８を軸にして回動することにより固定側筐体２１の開口部２２を開閉する。
【００１８】
さらに、固定係止部２６および一対の可動係止部２７のそれぞれの係止孔２６Ａ，２７Ａから回転軸２８を抜き出すことで、固定側筐体２１から可動側筐体２３を取り外すことができる。
【００１９】
固定側筐体２１に余長処理部１７が収容され、その状態で固定されている。また、可動側筐体２３に回路基板１８が収容され、その状態で固定されている。
すなわち、光終端装置１０によれば、可動側筐体２３が開口部２２を開放させた状態で、回路基板１８が外部露出するように筐体１５に収容されている。
開口部２２は、固定側筐体２１の固定側開口部２２Ａと、可動側筐体２３の可動側開口部２２Ｂとからなる。
【００２０】
回路基板１８は、可動側筐体２３に収容され、光ファイバ１２の終端部１２Ｂはフィルタユニット１２Ｗの中で、１２Ｄのフィルタに接続され、１本の終端線１２Ｃになり、回路基板１８に接続されることで光−電気信号に変換するものである。
この回路基板１８は、実装面１８Ａが可動側開口部２２Ｂに臨むように配置され、実装面１８Ａに電子部品３３が実装されている。
【００２１】
可動側筐体２３には回路基板１８を覆う基板カバー３５が設けられている。
可動側筐体２３に回路基板１８を覆う基板カバー３５を設けることで、回路基板１８（特に、実装面１８Ａに電子部品３３）を基板カバー３５で保護できる。
カバー３５は光ファイバ１２の先端１２Ｃと接続するため、コネクタ３６の穴が設けられている。
【００２２】
余長処理部１７は、固定側筐体２１に収容され、余裕を持たせて布設された光ファイバ１２の余長部１２Ａを巻取ドラム３７に巻き取ることで収束するものである。
余長部１２Ａを巻取ドラム３７に巻き取った、余長部１２Ａの終端部１２Ｃ（図２参照）が回路基板１８に接続される。
【００２３】
つぎに、実施形態に係る光終端装置１０の回路基板１８を保守、点検、交換作業おこなう例について説明する。
回路基板１８の保守、点検や、回路基板１８の交換作業をおこなう際には、まず、可動側筐体２３の係止フック２３Ａを固定側筐体２１の係止爪２１Ａから外す。
【００２４】
つぎに、可動側筐体２３を、ヒンジ部２６Ａ、２７Ａの回転中心を軸にして開けることにより、固定側筐体２１の開口部２２（固定側開口部２２Ａおよび可動側開口部２２Ｂ）を開放する。
可動側開口部２２Ｂに回路基板１８の実装面１８Ａが臨んでいる。このように、可動側筐体２３を開けるだけで、回路基板１８を外部露出できるので、回路基板１８の保守、点検や、回路基板１８の交換を容易におこなうことができる。
【００２５】
ところで、光終端装置１０のヒンジ部２６，２７は、図５に示すように、固定係止部２６および一対の可動係止部２７のそれぞれの係止孔２６Ａ，２７Ａから外すことで固定側筐体２１に対して可動側筐体２３を外すことができる。
加えて、回路基板１８は可動側筐体２３に収容されている。
よって、回転軸２８を抜き出すことで、回路基板１８を可動側筐体２３ごと交換でき、回路基板１８を一層容易に交換できる。
【００２６】
なお、前記実施形態で例示した筐体１５、余長処理部１７、回路基板１８、固定側筐体２１、可動側筐体２３、回動軸２８および基板カバー３５などの形状や構成は、これに限定するものではなく、適宜変更が可能である。
【産業上の利用可能性】
【００２７】
本発明は、可動側筐体を回動させて開閉可能な筐体に余長処理部および回路基板を備えた光終端装置への適用に好適である。
【図面の簡単な説明】
【００２８】
【図１】本発明に係る光終端装置を示す分解斜視図である。
【図２】実施形態に係る固定側筐体および余長処理部を示す分解斜視図である。
【図３】実施形態に係る可動側筐体および回路基板を示す分解斜視図である。
【図４】実施形態に係る光終端装置を開いた状態を示す断面図である。
【図５】実施形態に係る光終端装置のヒンジ部を示す分解斜視図である。
【符号の説明】
【００２９】
１０  光終端装置
１２  光ファイバ屋外配線部
１２Ａ  余長部
１２Ｂ  光ファイバ
１２Ｃ  光ファイバ終端接続部
１２Ｗ  フィルタユニット
１３  取付面
１５  筐体
１７  余長処理部
１８  回路基板
２１  固定側筐体
２２  開口部
２２Ａ  固定側開口部
２２Ｂ  可動側開口部
２３  可動側筐体
２８  回動軸
３５  基板カバー
３６  光ファイバ接続用コネクタ
【図１】
2008076966.tif 000003
【図２】
2008076966.tif 000004
【図３】
2008076966.tif 000005
【図４】
2008076966.tif 000006
【図５】
2008076966.tif 000007